(57)【要約】【課題】  動作周波数帯域が広く、簡便で集積化に好適な直交変調器を提供する。【解決手段】  同相搬送波の変調信号と、前記同相搬送波に直交する直交搬送波の変調信号とを合成して出力する直交変調器において、前記同相搬送波と前記直交搬送波とを生成し、動作周波数帯域がそれぞれ異なる複数のフェーズシフタを備えることを特徴とする直交変調器。【選択図】                    図１
2005333540.tif 000002
【特許請求の範囲】
【請求項１】
同相搬送波の変調信号と、前記同相搬送波に直交する直交搬送波の変調信号とを合成して出力する直交変調器において、
前記同相搬送波と前記直交搬送波とを生成し、動作周波数帯域がそれぞれ異なる複数のフェーズシフタを備えることを特徴とする直交変調器。
【請求項２】
複数の前記フェーズシフタは、集積回路に一体に形成されることを特徴とする請求項１記載の直交変調器。
【請求項３】
前記同相搬送波及び前記直交搬送波の周波数帯域に基づき前記フェーズシフタを切替える切替手段を備えることを特徴とする請求項２記載の直交変調器。
【請求項４】
前記切替手段は、一つの前記フェーズシフタを選択する制御信号発生回路を備えることを特徴とする請求項３記載の直交変調器。
【請求項５】
前記同相搬送波の振幅と前記直交搬送波の振幅とをそれぞれ揃えるリミットアンプを備えることを特徴とする請求項２または請求項４の何れかに記載の直交変調器。
【請求項６】
前記リミットアンプは、電圧／電流変換回路と負荷回路とを備え、
前記切替手段は、前記電圧／電流変換回路の動作をオンオフすることを特徴とする請求項５記載の直交変調器。
【請求項７】
前記切替手段は、前記フェーズシフタの入力を切替えることを特徴とする請求項５記載の直交変調器。
【請求項８】
前記切替手段は、前記フェーズシフタの出力を切替えることを特徴とする請求項５記載の直交変調器。
【発明の詳細な説明】
【技術分野】
【０００１】
本発明は、同相搬送波の変調信号と、前記同相搬送波に直交する直交搬送波の変調信号とを合成して出力する直交変調器に関し、特に、デジタル変調信号に使用する直交変調器に関する。
【背景技術】
【０００２】
以下に図４に基づいて従来の直交変調器を説明する。図４は、従来の直交変調器を示す構成図である。
【０００３】
図４の従来例の構成を説明する。フェーズシフタＰＳ０の入力は、搬送波入力Ｃに接続する。そして、フェーズシフタＰＳ０は、搬送波入力Ｃを入力し、同相搬送波ｆＡ０と直交搬送波ｆＢ０とを出力する。
【０００４】
ここで、フェーズシフタＰＳ０内の構成を詳しく説明する。フェーズシフタＰＳ０は、例えば、コンデンサＣ１、コンデンサＣ２、抵抗Ｒ１、抵抗Ｒ２から形成される。
【０００５】
また、コンデンサＣ１の一端は搬送波入力Ｃに接続し、コンデンサＣ１の他端は同相搬送波ｆＡ０に接続する。さらにまた、抵抗Ｒ１の一端は同相搬送波ｆＡ０に接続し、抵抗Ｒ１の他端は共通電位に接続する。
【０００６】
さらに、抵抗Ｒ２の一端は搬送波入力Ｃに接続し、抵抗Ｒ１の他端は直交搬送波ｆＢ０に接続する。さらにまた、コンデンサＣ２の一端は直交搬送波ｆＢ０に接続し、コンデンサＣ２の他端は共通電位に接続する。
【０００７】
また、乗算器２Ａの一方の入力は、アンプ０Ａを介して、同相搬送波ｆＡ０に接続する。さらに、乗算器２Ａの他方の入力は、変調信号入力Ｉに接続する。また、乗算器２Ｂの一方の入力は、アンプ０Ｂを介して、同相搬送波ｆＢ０に接続する。さらにまた、乗算器２Ｂの他方の入力は、変調信号入力Ｑに接続する。
【０００８】
さらに、加算回路３の一方の入力は乗算器２Ａの出力に接続し、加算回路３の他方の入力は乗算器２Ｂの出力に接続する。
【０００９】
そして、乗算器２Ａの一方の入力とアンプ０Ａとの接続点の信号を信号ｈＡとし、加算回路３の一方の入力と乗算器２Ａの出力との接続点の信号を信号ｉＡとし、乗算器２Ｂの一方の入力とアンプ０Ｂとの接続点の信号を信号ｈＢとし、加算回路３の他方の入力と乗算器２Ｂの出力との接続点の信号を信号ｉＢとし、加算回路３の出力の信号を出力ＯＵＴとする。
【００１０】
このような構成の図４の従来例における動作を説明する。フェーズシフタＰＳ０は、搬送波入力Ｃから同相搬送波ｆＡ０と直交搬送波ｆＢ０とを生成する。
【００１１】
また、同相搬送波ｆＡ０と直交搬送波ｆＢ０とは直交する。即ち、同相搬送波ｆＡ０と直交搬送波ｆＢ０とは９０度の位相差を有する。
【００１２】
さらに、同相搬送波ｆＡ０は、アンプ０Ａを介して、信号ｈＡとなる。そして、変調信号入力Ｉは、信号ｈＡで変調されて信号ｉＡとなる。また、直交搬送波ｆＢ０は、アンプ０Ｂを介して、信号ｈＢとなる。そして、変調信号入力Ｑは、信号ｈＢで変調されて信号ｉＢとなる。さらに、信号ｉＡと信号ｉＢとの和は出力ＯＵＴとなる。
【００１３】
したがって、図４の従来例は、同相搬送波ｆＡ０の変調信号入力Ｉと、直交搬送波ｆＢ０の変調信号入力Ｑとを合成して出力ＯＵＴを出力する。
【００１４】
そして、図４の従来例の動作周波数帯域は、ほぼ、フェーズシフタＰＳ０の動作周波数帯域によって決まる。
【特許文献１】特開平５−１０３０２５号公報
【特許文献２】特開平６−３０３２７１号公報
【特許文献３】特開２００２−２０８９７８号公報
【特許文献４】特開２００３−２１８６４１号公報
【特許文献５】特開２００４−４０５０３号公報
【発明の開示】
【発明が解決しようとする課題】
【００１５】
しかしながら、図４の従来例は、同相搬送波ｆＡ０と直交搬送波ｆＢ０とを正確に直交させることが困難という課題がある。
【００１６】
また、詳しくは、図４の従来例は、同相搬送波ｆＡ０の振幅と直交搬送波ｆＢ０の振幅とを正確に等しくさせることが困難という課題がある。
【００１７】
詳しくは、ある特定の動作周波数のときに、同相搬送波ｆＡ０の振幅と直交搬送波ｆＢ０の振幅とが等しくても、その特定の周波数からのずれが大きくなると、同相搬送波ｆＡ０の振幅と直交搬送波ｆＢ０の振幅との差も大きくなる。
【００１８】
さらに、同相搬送波ｆＡ０の振幅と直交搬送波ｆＢ０の振幅との差によって、アンプ０Ａ及びアンプ０Ｂで生じる位相誤差の蓄積が大きくなる。
【００１９】
また、上述の例とは別に、フェーズシフタＰＳ０を抵抗とコンデンサとの縦続接続する回路、即ち、ポリフェーズ型（図示せず）とすると、動作周波数帯域を広げることができる。しかし、ポリフェーズ型では、出力ＯＵＴの振幅が小さくなるという課題がある。そして、オフセット誤差、ノイズの課題があり、また、回路構成が複雑となるという課題がある。
【００２０】
本発明の目的は、以上説明した課題を解決するものであり、動作周波数帯域が広い直交変調器を提供することにある。また、本発明の目的は、簡便で集積化に好適な直交変調器を提供することにある。
【課題を解決するための手段】
【００２１】
このような目的を達成する本発明は、次の通りである。
（１）同相搬送波の変調信号と、前記同相搬送波に直交する直交搬送波の変調信号とを合成して出力する直交変調器において、前記同相搬送波と前記直交搬送波とを生成し、動作周波数帯域がそれぞれ異なる複数のフェーズシフタを備えることを特徴とする直交変調器。
【００２２】
（２）複数の前記フェーズシフタは、集積回路に一体に形成されることを特徴とする（１）記載の直交変調器。
【００２３】
（３）前記同相搬送波及び前記直交搬送波の周波数帯域に基づき前記フェーズシフタを切替える切替手段を備えることを特徴とする（２）記載の直交変調器。
【００２４】
（４）前記切替手段は、一つの前記フェーズシフタを選択する制御信号発生回路を備えることを特徴とする（３）記載の直交変調器。
【００２５】
（５）前記同相搬送波の振幅と前記直交搬送波の振幅とをそれぞれ揃えるリミットアンプを備えることを特徴とする（２）または（４）の何れかに記載の直交変調器。
【００２６】
（６）前記リミットアンプは、電圧／電流変換回路と負荷回路とを備え、前記切替手段は、前記電圧／電流変換回路の動作をオンオフすることを特徴とする（５）記載の直交変調器。
【００２７】
（７）前記切替手段は、前記フェーズシフタの入力を切替えることを特徴とする（５）記載の直交変調器。
【００２８】
（８）前記切替手段は、前記フェーズシフタの出力を切替えることを特徴とする（５）記載の直交変調器。
【発明の効果】
【００２９】
以上説明したことから明らかなように、本発明によれば次のような効果がある。
本発明によれば、動作周波数帯域が広い直交変調器を提供できる。また、本発明によれば、簡便で集積化に好適な直交変調器を提供できる。
【発明を実施するための最良の形態】
【００３０】
以下に図１に基づいて本発明を詳細に説明する。図１は、本発明の一実施例を示す構成図である。また、図４の従来例と同一の要素には同一符号を付し、説明を省略する。
【００３１】
図１の実施例の特徴は、複数のフェーズシフタＰＳ１，ＰＳ２，・・・，ＰＳｎを備える点にある。また、図１の実施例の特徴は、制御信号発生回路５１を備える点にある。
【００３２】
図１の実施例の構成を説明する。
フェーズシフタＰＳ１の入力は、搬送波入力Ｃに接続する。そして、フェーズシフタＰＳ１は、搬送波入力Ｃを入力し、同相搬送波ｆＡ１と直交搬送波ｆＢ１とを出力する。
【００３３】
そして、フェーズシフタＰＳ１は、搬送波入力Ｃから同相搬送波ｆＡ１と直交搬送波ｆＢ１とを生成する。また、同相搬送波ｆＡ１と直交搬送波ｆＢ１とは直交する。即ち、同相搬送波ｆＡ１と直交搬送波ｆＢ１とは９０度の位相差を有する。
【００３４】
同様に、フェーズシフタＰＳ２の入力は、搬送波入力Ｃに接続する（図示せず）。そして、フェーズシフタＰＳ２は、搬送波入力Ｃを入力し、同相搬送波ｆＡ２と直交搬送波ｆＢ２とを出力する（図示せず）。また、同様に、フェーズシフタＰＳｎの入力は、搬送波入力Ｃに接続する。そして、フェーズシフタＰＳｎは、搬送波入力Ｃを入力し、同相搬送波ｆＡｎと直交搬送波ｆＢｎとを出力する。
【００３５】
そして、フェーズシフタＰＳ２は、搬送波入力Ｃから同相搬送波ｆＡ２と直交搬送波ｆＢ２とを生成する（図示せず）。また、同相搬送波ｆＡ２と直交搬送波ｆＢ２とは直交する。さらに、フェーズシフタＰＳｎは、搬送波入力Ｃから同相搬送波ｆＡｎと直交搬送波ｆＢｎとを生成する。また、同相搬送波ｆＡｎと直交搬送波ｆＢｎとは直交する。
【００３６】
ここで、図１の実施例のフェーズシフタＰＳ１，ＰＳ２，・・・，ＰＳｎ内の構成は、例えば、図４の従来例のフェーズシフタＰＳ０と同様に、コンデンサと抵抗とから形成される（図示せず）。
【００３７】
また、フェーズシフタＰＳ１の動作周波数帯域，ＰＳ２の動作周波数帯域，・・・，ＰＳｎの動作周波数帯域は、それぞれ異なる。例えば、フェーズシフタＰＳ１，ＰＳ２，・・・，ＰＳｎは、所定の間隔毎の動作周波数帯域となるように形成する。
【００３８】
また、リミットアンプ１Ａの入力は、同相搬送波ｆＡ１、同相搬送波ｆＡ２（図示せず），・・・，同相搬送波ｆＡｎに接続する。また、リミットアンプ１Ａの出力は、乗算器２Ａの一方の入力（信号ｈＡ）に接続する。さらに、リミットアンプ１Ｂの入力は、直交搬送波ｆＢ１、直交搬送波ｆＢ２（図示せず），・・・，直交搬送波ｆＢｎに接続する。また、リミットアンプ１Ｂの出力は、乗算器２Ｂの一方の入力（信号ｈＢ）に接続する。
【００３９】
即ち、図１の実施例のリミットアンプ１Ａ及びリミットアンプ１Ｂは図４の従来例のアンプ０Ａ及びアンプ０Ｂに対応する。
【００４０】
ここで、リミットアンプ１Ａ内の構成を詳しく説明する。リミットアンプ１Ａは、例えば、電圧／電流変換回路（Ｖ／Ｉ変換回路）ＣＡ１，ＣＡ２，・・・，ＣＡｎと負荷回路ＬＡとから形成する。そして、このような図１の実施例のリミットアンプ１Ａは、同相搬送波ｆＡ０，ｆＡ１，・・・，ｆＡｎの振幅を制限する増幅器を簡便に形成する。
【００４１】
詳しくは、リミットアンプ１Ａの電圧／電流変換回路ＣＡ１の入力は、同相搬送波ｆＡ１に接続する。同様に、リミットアンプ１Ａの電圧／電流変換回路ＣＡ２の入力は、同相搬送波ｆＡ２に接続する（図示せず）。また、同様に、リミットアンプ１Ａの電圧／電流変換回路ＣＡｎの入力は、同相搬送波ｆＡｎに接続する。
【００４２】
さらに、負荷回路ＬＡの入力（信号ｇＡ）は、電圧／電流変換回路ＣＡ１の出力，電圧／電流変換回路ＣＡ２の出力（図示せず），・・・，電圧／電流変換回路ＣＡｎの出力に接続する。さらにまた、負荷回路ＬＡの出力は、乗算器２Ａの一方の入力（信号ｈＡ）に接続する。
【００４３】
また、リミットアンプ１Ｂ内の構成を詳しく説明する。リミットアンプ１Ｂは、リミットアンプ１Ａと同様に形成され、直交搬送波ｆＢ０，ｆＢ１，・・・，ｆＢｎの振幅を制限する増幅器を簡便に形成する。
【００４４】
詳しくは、リミットアンプ１Ｂの電圧／電流変換回路ＣＢ１の入力は、直交搬送波ｆＢ１に接続する。同様に、リミットアンプ１Ｂの電圧／電流変換回路ＣＢ２の入力は、直交搬送波ｆＢ２に接続する（図示せず）。また、同様に、リミットアンプ１Ｂの電圧／電流変換回路ＣＢｎの入力は、直交搬送波ｆＢｎに接続する。
【００４５】
さらに、負荷回路ＬＢの入力（信号ｇＢ）は、電圧／電流変換回路ＣＢ１の出力，電圧／電流変換回路ＣＢ２の出力（図示せず），・・・，電圧／電流変換回路ＣＢｎの出力に接続する。さらにまた、負荷回路ＬＢの出力は、乗算器２Ｂの一方の入力（信号ｈＢ）に接続する。
【００４６】
また、制御信号発生回路５１の入力は選択信号ｍに接続する。また、制御信号発生回路５１の出力Ｓ１は電圧／電流変換回路ＣＡ１及び電圧／電流変換回路ＣＢ１に接続する。さらに、制御信号発生回路５１の出力Ｓ２は電圧／電流変換回路ＣＡ２及び電圧／電流変換回路ＣＢ２に接続する（図示せず）。また、制御信号発生回路５１の出力Ｓｎは電圧／電流変換回路ＣＡｎ及び電圧／電流変換回路ＣＢｎに接続する。
そして、制御信号発生回路５１は、電圧／電流変換回路の動作をオンオフする。
【００４７】
このような構成の図１の実施例における動作を説明する。
フェーズシフタＰＳ１は、搬送波入力Ｃから同相搬送波ｆＡ１と直交搬送波ｆＢ１とを生成する。同様に、フェーズシフタＰＳ２は、搬送波入力Ｃから同相搬送波ｆＡ２と直交搬送波ｆＢ２とを生成する（図示せず）。また、同様に、フェーズシフタＰＳｎは、搬送波入力Ｃから同相搬送波ｆＡｎと直交搬送波ｆＢｎとを生成する。
【００４８】
そして、フェーズシフタＰＳ１，ＰＳ２，・・・，ＰＳｎの何れかの動作周波数帯域は、搬送波入力Ｃの周波数に一致する。よって、搬送波入力Ｃの周波数に対応するフェーズシフタは、同相搬送波と直交搬送波とを正確に直交させることができると共に、同相搬送波の振幅と直交搬送波の振幅とを正確に等しくさせることができる。
【００４９】
また、搬送波入力Ｃの周波数が変化すると、搬送波入力Ｃの周波数に対応するフェーズシフタは、フェーズシフタＰＳ１，ＰＳ２，・・・，ＰＳｎの何れかに変化する。
【００５０】
このようにして、図１の実施例は、出力ＯＵＴを出力する。そして、図１の実施例は、広い動作周波数帯域に対応できる。また、図１の実施例は、同相搬送波と直交搬送波とを正確に直交させることができると共に、同相搬送波の振幅と直交搬送波の振幅とを正確に等しくさせることができる。
【００５１】
また、制御信号発生回路５１は、選択信号ｍに基づき、搬送波入力Ｃの周波数に対応するフェーズシフタに接続する電圧／電流変換回路の動作をオンし、搬送波入力Ｃの周波数に対応しないフェーズシフタに接続する電圧／電流変換回路の動作をオフする。
【００５２】
さらに、選択信号ｍは、同相搬送波ｆＡ０，ｆＡ１，・・・，ｆＡｎ及び直交搬送波ｆＢ０，ｆＢ１，・・・，ｆＢｎの周波数、即ち、選択信号ｍは搬送波入力Ｃの周波数に基づく値とする。また、制御信号発生回路５１は、出力Ｓ１，Ｓ２，・・・，Ｓｎの何れか一つをオンとし、その他をオフとする。
【００５３】
具体的には、例えば、搬送波入力Ｃの周波数がフェーズシフタＰＳ１の動作周波数に対応するとき、出力Ｓ１はオンとなり、電圧／電流変換回路ＣＡ１の動作はオンとなり、電圧／電流変換回路ＣＢ１の動作はオンとなり、出力Ｓｎはオフとなり、電圧／電流変換回路ＣＡｎの動作はオフとなり、電圧／電流変換回路ＣＢｎの動作はオフとなる。
【００５４】
そして、同相搬送波ｆＡ１は、信号ｇＡとなり、信号ｈＡとなる。また、直交搬送波ｆＢ１は、信号ｇＢとなり、信号ｈＢとなる。また、同相搬送波ｆＡｎ及び直交搬送波ｆＢｎは、信号ｇＡ、信号ｈＡ、ｇＢ、信号ｈＢに影響しない。
【００５５】
つまり、図１の実施例は、フェーズシフタＰＳ１，ＰＳ２，・・・，ＰＳｎを切替える。さらに、図１の実施例の制御信号発生回路５１は、フェーズシフタＰＳ１，ＰＳ２，・・・，ＰＳｎの何れか一つを選択する。
【００５６】
このようにして、図１の実施例は、出力ＯＵＴを出力する。よって、図１の実施例は、一層広い動作周波数帯域に対応できる。また、図１の実施例は、同相搬送波と直交搬送波とを一層正確に直交させることができると共に、同相搬送波の振幅と直交搬送波の振幅とを一層正確に等しくさせることができる。
【００５７】
さらに、リミットアンプ１Ａ及びリミットアンプ１Ｂは、同相搬送波に係る振幅と直交搬送波に係る振幅とをそれぞれ揃える。即ち、信号ｈＡの振幅と信号ｈＢの振幅とをそれぞれ揃える。このため、乗算器２Ａ及び乗算器２Ｂは簡便にできる。
【００５８】
また、上述の例において、フェーズシフタＰＳ１，ＰＳ２，・・・，ＰＳｎは、集積回路に一体に形成してもよい。このように形成すると、フェーズシフタＰＳ１の特性，ＰＳ２の特性，・・・，ＰＳｎの特性のばらつきは小さくなり、図１の実施例は一層好適な特性となる。
【００５９】
また、上述の例では、制御信号発生回路５１は、一つのフェーズシフタを選択するものであったが、これとは別に、例えば、制御信号発生回路５１は、搬送波入力Ｃの周波数に関係する二つのフェーズシフタを選択するようにしてもよい。このような構成であっても、図１の実施例と実質的に同等の構成となり、同様の作用及び効果がある。
【００６０】
以下に図２に基づいて本発明を詳細に説明する。図２は、本発明の他の実施例を示す構成図である。なお、図１の実施例と同一の要素には同一符号を付し、説明を省略する。
図２の実施例の特徴は切替手段６２を備える点にある。
【００６１】
図２の実施例の構成を説明する。図２の実施例の制御信号発生回路５２は、図１の実施例の制御信号発生回路５１に対応する。また、図２の実施例の出力ｔは、図１の実施例の出力Ｓ１，Ｓ２，・・・，Ｓｎに対応する。
【００６２】
切替手段６２の入力は搬送波入力Ｃに接続し、切替手段６２の出力はそれぞれフェーズシフタＰＳ１，ＰＳ２，・・・，ＰＳｎに接続する。詳しくは、フェーズシフタＰＳ１の入力（信号ｏ１）は切替手段６２内のスイッチｓ１を介して搬送波入力Ｃに接続し、フェーズシフタＰＳｎの入力（信号ｏｎ）は切替手段６２内のスイッチｓｎを介して搬送波入力Ｃに接続する。
【００６３】
また、制御信号発生回路５２の入力は選択信号ｍに接続する。そして、制御信号発生回路５２は、切替手段６２内のスイッチをオンオフする。
【００６４】
このような構成の図２の実施例における動作を説明する。
図２の実施例の制御信号発生回路５２は、図１の実施例の制御信号発生回路５１と同様に、切替手段６２内のスイッチの何れか一つをオンとし、その他をオフとする。
【００６５】
具体的には、例えば、搬送波入力Ｃの周波数がフェーズシフタＰＳ１の動作周波数に対応するとき、スイッチｓ１はオンとなり、信号ｏ１と搬送波入力Ｃとは等しくなり、スイッチｓｎはオフとなり、信号ｏｎと共通電位とは等しくなる。
【００６６】
そして、同相搬送波ｆＡ１は、信号ｇＡとなり、信号ｈＡとなる。また、直交搬送波ｆＢ１は、信号ｇＢとなり、信号ｈＢとなる。
さらに、同相搬送波ｆＡｎ及び直交搬送波ｆＢｎは、信号ｇＡ、信号ｈＡ、ｇＢ、信号ｈＢに影響しない。
【００６７】
このようにして、図２の実施例は、図１の実施例と実質的に同等となり、出力ＯＵＴを出力する。そして、図２の実施例は、図１の実施例と同様に、広い動作周波数帯域に対応できる。また、図１の実施例は、同相搬送波と直交搬送波とを正確に直交させることができると共に、同相搬送波の振幅と直交搬送波の振幅とを正確に等しくさせることができる。
【００６８】
以下に図３に基づいて本発明を詳細に説明する。図３は、本発明の他の実施例を示す構成図である。なお、図１の実施例と同一の要素には同一符号を付し、説明を省略する。
図３の実施例の特徴は切替手段６３を備える点にある。
【００６９】
図３の実施例の構成を説明する。図３の実施例の制御信号発生回路５３は、図１の実施例の制御信号発生回路５１に対応する。また、図３の実施例の出力ｕは、図１の実施例の出力Ｓ１，Ｓ２，・・・，Ｓｎに対応する。
【００７０】
切替手段６３の入力はそれぞれフェーズシフタＰＳ１，ＰＳ２，・・・，ＰＳｎに接続し、切替手段６３の出力はそれぞれ電圧／電流変換回路ＣＡ１，ＣＡ２，・・・，ＣＡｎ及び電圧／電流変換回路ＣＢ１，ＣＢ２，・・・，ＣＢｎに接続する。
【００７１】
詳しくは、リミットアンプ１Ａの電圧／電流変換回路ＣＡ１の入力（信号ｑＡ１）は、切替手段６３内のスイッチｓＡ１を介して、同相搬送波ｆＡ１に接続する。また、リミットアンプ１Ｂの電圧／電流変換回路ＣＢ１の入力（信号ｑＢ１）は、切替手段６３内のスイッチｓＢ１を介して、直交搬送波ｆＢ１に接続する。
【００７２】
さらに、リミットアンプ１Ａの電圧／電流変換回路ＣＡｎの入力（信号ｑＡｎ）は、切替手段６３内のスイッチｓＡｎを介して、同相搬送波ｆＡｎに接続する。また、リミットアンプ１Ｂの電圧／電流変換回路ＣＢｎの入力（信号ｑＢｎ）は、切替手段６３内のスイッチｓＢｎを介して、直交搬送波ｆＢｎに接続する。
【００７３】
また、スイッチｓＡ１とスイッチｓＢ１とは同期してオンオフする。同様に、スイッチｓＡｎとスイッチｓＢｎとは同期してオンオフする。
【００７４】
さらに、制御信号発生回路５３の入力は選択信号ｍに接続する。そして、制御信号発生回路５３は、切替手段６３内のスイッチをオンオフする。
【００７５】
このような構成の図３の実施例における動作を説明する。
図３の実施例の制御信号発生回路５３は、図１の実施例の制御信号発生回路５１と同様に、切替手段６３内のスイッチの何れか一組をオンとし、その他をオフとする。
【００７６】
具体的には、例えば、搬送波入力Ｃの周波数がフェーズシフタＰＳ１の動作周波数に対応するとき、スイッチｓＡ１及びスイッチｓＢ１はオンとなり、信号ｑＡ１と同相搬送波ｆＡ１とは等しくなり、信号ｑＢ１と直交搬送波ｆＢ１とは等しくなり、スイッチｓＡｎ及びスイッチｓＢｎはオフとなる。
【００７７】
そして、同相搬送波ｆＡ１は、信号ｑＡ１となり、信号ｇＡとなり、信号ｈＡとなる。また、直交搬送波ｆＢ１は、信号ｑＢ１となり、信号ｇＢとなり、信号ｈＢとなる。
さらに、同相搬送波ｆＡｎ及び直交搬送波ｆＢｎは、信号ｇＡ、信号ｈＡ、ｇＢ、信号ｈＢに影響しない。
【００７８】
このようにして、図３の実施例は、図１の実施例と実質的に同等となり、出力ＯＵＴを出力する。そして、図３の実施例は、図１の実施例と同様に、広い動作周波数帯域に対応できる。また、図３の実施例は、同相搬送波と直交搬送波とを正確に直交させることができると共に、同相搬送波の振幅と直交搬送波の振幅とを正確に等しくさせることができる。
【００７９】
さらに、上述の実施例の切替手段は、電圧／電流変換回路ＣＡ１，ＣＡ２，・・・，ＣＡｎ及び電圧／電流変換回路ＣＢ１，ＣＢ２，・・・，ＣＢｎの入力側に切替手段６３を備えるものであったが、これとは別に、電圧／電流変換回路ＣＡ１，ＣＡ２，・・・，ＣＡｎ及び電圧／電流変換回路ＣＢ１，ＣＢ２，・・・，ＣＢｎの出力側に切替手段を備えるものであっても、実質的に同等の構成となり、同様の作用及び効果を得ることができる。
【００８０】
以上のように、本発明は、上述の実施例に限定されることなく、その本質を逸脱しない範囲でさらに多くの変更及び変形を含むものである。
【図面の簡単な説明】
【００８１】
【図１】本発明の一実施例を示す構成図である。
【図２】本発明の他の実施例を示す構成図である。
【図３】本発明の他の実施例を示す構成図である。
【図４】従来の直交変調器を示す構成図である。
【符号の説明】
【００８２】
１Ａ，１Ｂ  リミットアンプ
２Ａ，２Ｂ  乗算器
３  加算回路
５１，５２，５３  制御信号発生回路
６２，６３  切替手段
ＣＡ１，・・・，ＣＡｎ  電圧／電流変換回路（Ｖ／Ｉ変換回路）
ＬＡ，ＬＢ  負荷回路
ＰＳ１，・・・，ＰＳｎ  フェーズシフタ
Ｃ  搬送波入力
ｍ  選択信号
ｆＡ１，・・・，ｆＡｎ  同相搬送波
ｆＢ１，・・・，ｆＢｎ  直交搬送波
Ｉ，Ｑ  変調信号入力
ＯＵＴ  出力
【図１】
2005333540.tif 000003
【図２】
2005333540.tif 000004
【図３】
2005333540.tif 000005
【図４】
2005333540.tif 000006